(57)【特許請求の範囲】
【請求項１】
電線が挿入される電線挿入口をそれぞれ備えた複数個の端子台部を備えるハウジングと、電線挿入口を通してハウジングに導入された電線にそれぞれ弾接して鎖錠する複数組の鎖錠片とを備え、前記各端子台部は、ハウジングの一面に対して傾斜するとともに電線挿入口が開口する導入面と、電線挿入口への電線の挿入方向に沿って傾斜する傾斜面とを備え、隣接する端子台部の導入面間が一方の端子台部の傾斜面を介して連続し、かつ電線挿入口への電線の挿入方向における傾斜面の長さ寸法が、電線挿入口を通して挿入される電線において絶縁被覆を除去すべき寸法とされていることを特徴とする端子装置。
【請求項２】
各電線挿入口はそれぞれ筒状であって、各端子台部における電線挿入口の中心軸方向の長さ寸法が略等しいことを特徴とする請求項１記載の端子装置。
【請求項３】
前記電線挿入口への電線の挿入角度がハウジングの前記一面に対して略３０度であることを特徴とする請求項１または請求項２記載の端子装置。
【発明の詳細な説明】
【０００１】
【発明の属する技術分野】
本発明は、電線に弾接して鎖錠する鎖錠片を用いた端子装置に関するものである。
【０００２】
【従来の技術】
従来より、電線に弾接して鎖錠する鎖錠片をハウジング内に収納し、ハウジングに設けた電線挿入口から挿入される電線を鎖錠片により接続保持し、さらに複数組の端子間を互いに電気的に接続することによって、いわゆる送り配線を可能とした端子装置が提供されている。この種の端子装置としては、たとえば、特開平６−３３３６１５号公報に記載のものがある。この公報に記載の端子装置は、図８に示すように、電線を挿入する電線挿入口２４がハウジング１に複数個形成されたものであって、ハウジング１の両側面にそれぞれ２個ずつの電線挿入口２４が開口し、各側面の一方の電線挿入口２４同士は図の左右方向の一直線上に設けられ、各側面の他方の電線挿入口２４は図の左右方向におけるハウジング１の中心部からそれぞれ上り傾斜する２本の直線上に配置されている。
【０００３】
【発明が解決しようとする課題】
上述した端子装置は、ハウジング１の左右において異なる面に設けた電線挿入口２４を用いて送り配線を行うものであって、この端子装置を電気器具に組み込むとともに、両電線挿入口２４に挿入される２組の電線３７を電気器具の１つの導入口に挿通しているとすれば、電気器具の内部で電線３７を引き回す距離が長くなるから、電線３７を引き回すスペースが必要になって電気機器の大型化につながり、また電線３７が長くなるから材料コストの増加につながるという問題がある。
【０００４】
これに対して、ハウジング１の左右において同じ面に設けた２個の電線挿入口２４を用いて送り配線を行うようにすれば、上述した問題は緩和されるが、両電線挿入口２４に挿入される電線３７をそれぞれ接続保持する端子部が上下に重ねて設けられているものであるから、ハウジング１の高さ寸法が大きくなるという問題がある。また、複数個の端子部を上下に重ねて設けているものであるから、端子部同士を結合するには、かしめや溶接のような固着作業が必要であって、工程の増加につながるとともに両端子部の位置関係にばらつきが生じやすくなって接続の信頼性が低下するという問題がある。
【０００５】
さらにまた、この種の端子装置では、電線３７の絶縁被覆を除去する長さ（つまり、導体を露出させる長さ）が接続の信頼性に関係しているから、絶縁被覆を除去した長さ寸法を確認するためのゲージ（ストリップゲージと称している）をハウジング１に設けることが多いが、ハウジング１においてストリップゲージを設けるには、ストリップゲージの長さ寸法以上のスペースを確保する必要があるから、一般には電線挿入口２４の近傍に設けるのが難しく、結線時の作業性が悪いという問題がある。また、照明器具などに用いる場合には結線作業時に十分な明るさを得られないことがあり、小さいストリップゲージでは視認性が低く作業性が一層悪くなる。
【０００６】
しかも、上述した端子装置では、異なる組の電線（たとえば、電線線と負荷電線）を接続するための電線挿入口２４を設けた面が略連続して隣り合っているから、誤結線が生じやすいという問題もある。
【０００７】
本発明は上記事由に鑑みて為されたものであり、その目的は、送り配線の際に電気的に接続される２組の電線を同方向から電線挿入口に導入しながらもハウジングが嵩高になるのを防止し、しかも電線の絶縁被覆を除去する長さ寸法を確認しやすくして作業性を高め、さらには異なる組の電線を誤結線する可能性を低減した端子装置を提供することにある。
【０００８】
【課題を解決するための手段】
請求項１の発明は、電線が挿入される電線挿入口をそれぞれ備えた複数個の端子台部を備えるハウジングと、電線挿入口を通してハウジングに導入された電線にそれぞれ弾接して鎖錠する複数組の鎖錠片とを備え、前記各端子台部は、ハウジングの一面に対して傾斜するとともに電線挿入口が開口する導入面と、電線挿入口への電線の挿入方向に沿って傾斜する傾斜面とを備え、隣接する端子台部の導入面間が一方の端子台部の傾斜面を介して連続し、かつ電線挿入口への電線の挿入方向における傾斜面の長さ寸法が、電線挿入口を通して挿入される電線において絶縁被覆を除去すべき寸法とされているものである。この構成によれば、隣接する端子台部に設けた導入面が一方の端子台部の傾斜面を介して連続するから、導入面の向きが略同じ向きになり、送り配線の際に電気的に接続される２組の電線を同方向から電線挿入口に導入することになる。しかも、導入面はハウジングの一面に対して傾斜し傾斜面は電線の挿入方向に沿って形成されているから、異なる端子台部の電線挿入口をハウジングの一面に沿ってずれた位置に設けることになり、ハウジングの一面に直交する方向に端子台部が積み重なることがなく、ハウジングが嵩高になるのを防止することができる。しかも、電線挿入口への電線の挿入方向における傾斜面の長さ寸法が、電線挿入口を通して挿入される電線において絶縁被覆を除去すべき寸法とされているから、端子台部に形成されている段差を利用して電線の絶縁被覆を除去する長さ寸法を確認することになり、視認性が高くなって作業性が向上する。その上、電線挿入口が形成されている導入面に隣接して形成されている傾斜面をストリップゲージとして用いるから、電線の導体の露出する長さ寸法を確認した後には、電線の位置をずらすだけで結線作業を行うことができ、結線作業が容易である。さらには、隣接する端子台部に設けた電線挿入口は電線の挿入方向において傾斜面の長さ分だけ離れており、傾斜面は電線の導体の露出部分の長さ寸法を有しているから、一つの端子台部に電線を接続するとその電線と組になる電線は他の端子台部には接続されにくく、異なる組の電線を誤結線する可能性が低減されることになる。
【０００９】
請求項２の発明は、請求項１の発明において、各電線挿入口がそれぞれ筒状であって、各端子台部における電線挿入口の中心軸方向の長さ寸法が略等しいものである。
【００１０】
請求項３の発明は、請求項１または請求項２の発明において、前記電線挿入口への電線の挿入角度をハウジングの前記一面に対して略３０度としたものである。
【００１１】
【発明の実施の形態】
図２および図３に示すように、ハウジング１は、一面（図２の上面）が開放されたボディ１０と、一面（図２の下面）が開放されボディ１０の開口側からボディ１０の周壁外周を囲む形に覆着されるカバー２０とを結合して形成される。ボディ１０の周壁外側面には４箇所に組立爪１１が突設され、カバー２０の周壁には各組立爪１１にそれぞれ嵌合する組立孔２１が形成される。したがって、組立爪１１を組立孔２１に嵌合させることにより、ボディ１０とカバー２０とが結合される。ハウジング１には２組の電源端子台２，３と１組の負荷端子台４とが順に配列されている。２組の電源端子台２，３のうちの一方は電源からの電線を接続するために設けられ、他方は送り配線用の電線を接続するために設けられている。通常は、電源端子台２に電源からの電線を接続し、電源端子台３に送り配線用の電線を接続する。
【００１２】
ボディ１０は長方形の一つの角部を矩形状に切欠した形状の底面を有する薄箱状に形成されている。つまり、ボディ１０は直方体の一面に突部を突設した形状に形成されており、この突部が負荷端子台４になる。ボディ１０の内部空間は長手方向（負荷端子台４の突出方向）に延長された２枚の仕切壁１２ａ，１２ｂによって３つの収納室１３ａ〜１３ｃに仕切られている。一方の仕切壁１２ａはボディ１０の幅方向において負荷端子台４を突設している側と残りの側とを仕切るように設けられ、他方の仕切壁１２ｂは負荷端子台４を突設している側の内部空間を幅方向において２分するように設けられている。つまり、仕切壁１２ａとボディ１０の周壁とに囲まれる収納室１３ａと、両仕切壁１２ａ，１２ｂの間の収納室１３ｂと、仕切壁１２ｂとボディ１０の周壁とに囲まれる収納室１３ｃとが形成される。収納室１３ｂ，１３ｃには、ボディ１０の長手方向において負荷端子台４に対応する部位と残りの部位とを仕切る仕切台１４も設けられている。
【００１３】
カバー２０はボディ１０の周壁に沿った周壁を有し、カバー２０においてボディ１０の開口部位を覆う底板には、各電源端子台２，３に対応する部位でそれぞれ端子台部２３が形成されている。各端子台部２３は、負荷端子台４から離れる向きにおいて突出量が多くなるように傾斜した傾斜面２３ａと、この傾斜面２３ａにおける負荷端子台４から遠いほうの一端縁に連続し負荷端子台４から離れる向きにおいて突出量が小さくなるように傾斜した導入面２３ｂとを有する。導入面２３ｂには、電線を挿入するための３個の電線挿入口２４が開口する。また、傾斜面２３ａには後述する解除釦２５が連続一体に形成されている。
【００１４】
カバー２０の長手方向の両端の外側面には、図３に示すように、ボディ１０との結合時にボディ１０の底面よりも突出する取付脚２６がそれぞれ設けられる。ここに、一方の取付脚２６は負荷端端子台４の先端面に設けられ、他方の取付脚２６はハウジング１の幅方向において負荷端子台４を設けていない側に設けられており、両取付脚２６の距離が可及的に大きくなるようにしてある。各取付脚２６はそれぞれ先端ほど互いの距離を小さくするように形成された一対の脚片２７を備え、各脚片２７の先端部には互いの距離を大きくする向きおよびカバー２０から離れる向きに突出するフック２７ａが形成されている。各一対の脚片２７に設けた両フック２７ａの外側面は先端側ほど互いの距離を小さくするようにボディ１０の底面に対して傾斜している。ボディ１０の底面にはボス１０ａが突設される。照明器具などの電気器具に取り付けるときには、電気器具の板材に形成した取付孔に取付脚２６を挿入すれば、フック２７ａが取付孔の周部に係止され、フック２７ａとハウジング１とにより取付孔の周部を挟持し、ハウジング１を電気器具に固定することができる。
【００１５】
ハウジング１には負荷端子台４の先端面に２個の電線挿入口１５が開口し、各電線挿入口１５に隣接してそれぞれ解除孔２９が開口する。解除孔２９の機能については後述する。
【００１６】
ところで、図２のように、ボディ１０に設けた収納室１３ａには接地用導体３１が収納され、収納室１３ｂ，１３ｃにはそれぞれ電圧用導体３２が収納される。電圧用導体３２は接地用導体３１に負荷接続片３３を設けた形状を有し、負荷接続片３３を除いた部分は接地用導体３１と略同形状になる。ただし、各収納室１３ｂ，１３ｃに配置される電圧用導体３２は、ボディ１０の幅方向における左右が逆になっている。つまり、両電圧用導体３２は仕切壁１３ｂを対称面として略対称に形成されている。
【００１７】
しかして、接地用導体３１は、図１のように、ボディ１０の底面に沿って配置される帯板状の主片３５ａの長手方向の２箇所に端子部３４を設けたものであって、各端子部３４は、主片３５ａの側縁に２箇所で連続して主片３５ａに直交する側片３５ｂを有し、主片３５ａの長手方向における側片３５ｂの一端縁には主片３５ａおよび側片３５ｂに直交する基部片３５ｃが延設されている。基部片３５ｃには主片３５ａと反対側の端縁から先端側ほど主片３５ａとの距離を広げるように傾斜した鎖錠片３５ｄが延設される。図４に示すように、鎖錠片３５ｄの先端部は幅方向における一部が切欠されて鎖錠縁３５ｅが形成され、切欠されていない部位は主片３５ａ側に曲成されている。一方、側片３５ｂの先端縁であって基部片３５ｃから離れた部位には半円筒状であって基部片３５ｃに近付くほど主片３５ａとの距離を大きくするように中心軸が傾斜した案内片３５ｆが連続一体に設けられる。案内片３５ｆは内側面が主片３５ａ側を向いており、鎖錠片３５ｄの鎖錠縁３５ｅと案内片３５ｆとの間で電線を挟持することができるようになっている。さらに、主片３５ａの長手方向において側片３５ｂの中間部には主片３５ａの長手方向に沿った短冊状の開口が形成され、開口において主片３５ａから離れた一辺において基部片３５ｃ側の端部には主片３５ａに対向し鎖錠片３５ｄに沿う形で延長された接続片３５ｇが設けられる。接続片３５ｇは側片３５ｂとの連結部位を除いて基部片３５ｃから離れるほど主片３５ａとの距離を大きくするように傾斜する。また、接続片３５ｇの先端部には主片３５ａから離れる向きに凸となるように曲成された接続部３５ｈが形成されている。要するに、接続片３５ｇは側片３５ｂの一部を主片３５ａから切り離すとともに一部のみが側片３５ｂに連続するように短冊状に切り出して形成されている。ここにおいて、鎖錠片３５ｄの先端部は案内片３５ｆの内側面に接触し、接続片３５ｇの先端部は案内片３５ｆとの間に隙間を形成するように配置される。接地用導体３１の主片３５ａの長手方向の中間部には側片３５ｂとは反対向きに折曲された接地片３６も設けられており、接地片３６はボディ１０の周壁に設けた切欠溝１０ａを通してボディ１０の裏面側に突出する。
【００１８】
一方、電圧用導体３２は上述のように負荷接続片３３を除いた部分は接地用導体３１と略同形状になっているが、電圧用導体３２には接地片３６は設けられていない。また、両電圧用導体３２は幅方向においては互いに面対称であって、両電圧用導体３２の案内片３５ｆの距離が大きくなる位置関係に配置される。負荷接続片３３は、図６に示すように、電圧用導体３２の主片３５ａにおいて基部片３５ｃと反対側の一端縁に連続しており、主片３５ａに段差部３３ａを介して連続する端子片３３ｂを有し、端子片３３ｂの先端縁から直交する方向に立ち上がる導入片３３ｃを備える。導入片３３ｃには切り起こしによって鎖錠片３３ｄが設けられる。この鎖錠片３３ｄの先端縁は端子片３３ｂに対向しており、導入片３３ｃを通して端子片３３ｂと鎖錠片３３ｄの先端縁との間に電線を挿入すると、端子片３３ｂと鎖錠片３３ｄの先端縁との間で電線が抜け止めされた状態で保持されるようになっている。
【００１９】
しかして、接地用導体３１および電圧用導体３２をボディ１０に収納し、ボディ１０にカバー２０を覆着すると、図１のように端子台部２３における傾斜面２３ａに対応する部位の内側面に沿う形で案内片３５ｆが配置される。ここに、接地用導体３１および電圧用導体３２は、主片３５ａの長手方向の中央部の一方の側縁に位置決め凹所３５ｉ（図２参照）を有し、ボディ１０の仕切壁１２ａ，１２ｂに設けた位置決め突起１２ｃに位置決め凹所３５ｉが係合することによって，接地用導体３１と電圧用導体３２とのボディ１０に対する位置合わせが容易になっている。また、カバー２０の内周面には主片３５ａの長手方向の中間部において両端子部３４間に挿入される押さえ片２０ａが設けられ、押さえ片２０ａの先端面とボディ１０との間に主片３５ａが挟まれ、ハウジング１内での接地用導体３１および電圧用導体３２のがたつきが防止される。このようにハウジング１に接地用導体３１と電圧用導体３２とが収納された状態では、図１のように、電線挿入口２４の中心軸Ｃは、鎖錠片３３ｄに交差しかつ接続片３５ｇの先端部である接続部３５ｈにほぼ接する位置関係になる。
【００２０】
したがって、電線挿入口２４にＶＶＦケーブルなどの電線３７を導入すると、図５のように電線３７の先端部に接続部３５ｈが電気的に接触し、かつ電線３７に鎖錠片３５ｄの鎖錠縁３５ｅが食い込んで抜け止めを行うことになる。ここにおいて、鎖錠片３５ｄの幅方向の一側では案内片３５ｆおよび側片３５ｂにより電線３７の位置ずれが防止され、他側では鎖錠縁３５ｅと残りの部位との段差によって電線３７の位置ずれが防止される。
【００２１】
接地用導体３１および電圧用導体３２は、上述したように、主片３５ａの長手方向に２個の端子部３４が並ぶように形成されたものであって、板金によって２個の端子部３４を一体に形成することができるから、端子部３４の位置管理が容易であって、端子部３４の位置を合わせながら固着する作業が不要であり、両端子部３４の位置関係を高い精度で管理することができる。つまり、両電源端子台２，３に挿入される電線３７を保持する力や接続状態にばらつきがなく接続の信頼性が高くなる。しかも、固着工程が不要であるから歩留まりが向上する。また、両端子部３４が取付面（ベース１０の底面）に平行な面内に配列されているから、ハウジング１の厚み寸法が増加せず、ハウジング１が嵩高になることがないものである。
【００２２】
電線挿入口２４の周縁のうち端子台部２３の先端側の一部には傾斜面２３ａに跨る形で切欠された窓溝２４ａが形成される。窓溝２４ａは傾斜面２３ａと導入面２３ｂとに跨る部位において、傾斜面２３ａに沿った断面が矩形状となるように形成されている。ここに、図１に示すように、電線挿入口２４は筒状に形成されており、電線挿入口２４が形成されている導入面２３ｂが傾斜していることによって、電線挿入口２４が内部まで見えやすくなっている。このことに加えて、上述のように窓溝２４ａを形成していることで、電線挿入口２４の内部を一層奥まで見ることが可能になる。その結果、電線３７を電線挿入口２４に導入する際に、電線３７が正しく導入されているか否かを視認しやすくなり、電線３７の結線作業が容易になるのである。
【００２３】
ところで、電線３７の絶縁被覆を除去する長さ（導体を露出させる長さ）は接続状態に影響するから、結線作業時には絶縁被覆を除去する長さを確認する必要がある。絶縁被覆を除去する長さ寸法は、負荷端子台４から遠いほうの電源端子台２については、図１のように電線挿入口２４の内周面で電線３７の絶縁被覆３７ａが係止される位置から、電線３７の先端が押さえ片２０ａに当接する位置までの長さ寸法Ｌ１になる。本実施形態では、負荷端子台４から遠いほうの電線端子台２の傾斜面２３ａにおける傾斜方向に沿った長さ寸法Ｌ２を、電線３７の絶縁被覆３７ａを除去する長さ寸法Ｌ１に設定してある。このことによって、電線３７の先端部を傾斜面２３ａに合わせると、絶縁被覆３７ａを除去する長さ寸法を容易に確認することができる。また、電源端子台２と電源端子台３とでは絶縁被覆３７ａを除去する長さ寸法を等しく設定してあり、電源端子台２の傾斜面２３ａをストリップゲージとして用いるだけで絶縁被覆３７ａの除去量を確認することができるようになっている。しかも、傾斜面２３ａは比較的広いとともに電線挿入口２４の近傍に位置しているから、絶縁被覆３７ａを除去する寸法を確認する作業が容易であり、確認後には電線３７の位置をずらすだけで電線挿入口２４に挿入することができ、結線作業の作業性が大幅に向上する。
【００２４】
さらに、電線挿入口２４の中心軸Ｃに沿った長さ寸法は、電源端子台２と電源端子台３とで略等しく設定してあり、かつ両電源端子台２，３に対する電線３７の挿入方向は略平行に設定してある。電線３７の挿入方向は、本実施形態においてはボディ１０の底面つまりハウジング１の取付面に対する角度が３０度になるように設定している。角度をこのように設定することで、電線挿入口２４を設ける導入面２３ｂを確保しながらも、取付面からのハウジング１の高さ寸法を小さくすることができる。また、電線３７を同じ向きから略平行に導入するから、照明器具のような電気器具に端子装置を組み込んだときに、電源線と送り配線とを同じ方向から端子装置に接続することができ、電気機器の内部で電線を引き回す必要がないものである。
【００２５】
しかも、電源端子台２の電線挿入口２４の長さ寸法Ｌ３と電線３７の絶縁被覆３７ａを除去する寸法Ｌ１との合計を、電源端子台３の電線挿入口２４の長さ寸法Ｌ４と電源端子台２における傾斜面２３ａの長さ寸法Ｌ２との合計に略等しく設定してある。したがって、図７に示すように、同じ組の電線３７を同極の電線挿入口２４に挿入しようとしても、電源端子台３の電線挿入口２４に挿入される電線３７は鎖錠片３５ｄに到達しないから、短絡事故が生じにくくなる。
【００２６】
負荷端子台４では電線挿入口１５に負荷電線３８（図３（ｂ）参照）を挿入すると、端子片３３ｂと鎖錠片３３ｄとの間に電線が導入され、電線が鎖錠片３３ｄにより鎖錠されるのである。この鎖錠状態を解除するには解除孔２９に適宜の治具を挿入すればよい。
【００２７】
ところで、上述のように、端子台部２３の傾斜面２３ａには解除釦２５が設けられている。この解除釦２５は電線挿入口２４に挿入された電線３７の鎖錠状態を解除するために設けられたものであり、図２、図３に示すように、導入面２３ｂ側に一端が一体に連続した可撓片２５ａを有し、可撓片２５ａの先端部に釦状の解除操作部２５ｂが設けられている。傾斜面２３ａには解除釦２５の周囲を囲む囲み壁４１が形成されている。可撓片２５ａは一端部が傾斜面２３ａに対して段差の生じないように連続し、さらに可撓片２５ａの両側方では囲み壁４１の先端面と可撓片２５ａとの間に段差が生じないように囲み壁４１が形成されている。また、囲み壁４１において解除操作部２５ｂを囲む部位の先端面に対して、解除操作部２５ｂは若干突出している。つまり、解除操作部２５ｂは傾斜面２３ａに対して比較的大きく突出していることになる。囲み壁４１において解除操作部２５ｂを囲む部位には、可撓片２５ａの延長方向に直交する形で凹所４２が形成されている。凹所４２の底面は傾斜面２３ａよりも凹没しており、解除操作部２５ｂを跨ぐ凹所４２の幅はマイナスドライバのような解除具の幅寸法に略一致するように設定されている。また、解除操作部２５ｂにも凹所４２に対応する部位に凹所２５ｃが形成されている。
【００２８】
解除釦２５における解除操作部２５ｂは、接地用導体３１と電圧用導体３２とにそれぞれ設けられている鎖錠片３５ｄの先端部において鎖錠縁３５ｅの形成されていない部位に当接可能であって、解除操作部２５ｂをハウジング１に押し込むと、鎖錠片３５ｄを案内片３５ｆから離れる向きに撓ませることができる。つまり、鎖錠片３５ｄと案内片３５ｆとの間に挟持された電線３７の鎖錠状態を解除して電線３７を引き抜くことができるようになる。各端子台部２３において解除釦２５は２個ずつ設けられており、一方の解除釦２５は接地用導体３１に対応するように形成され、他方の解除釦２５は２つの電圧用導体３２に跨るように形成されている。
【００２９】
【発明の効果】
本発明は、電線が挿入される電線挿入口をそれぞれ備えた複数個の端子台部を備えるハウジングと、電線挿入口を通してハウジングに導入された電線にそれぞれ弾接して鎖錠する複数組の鎖錠片とを備え、前記各端子台部は、ハウジングの一面に対して傾斜するとともに電線挿入口が開口する導入面と、電線挿入口への電線の挿入方向に沿って傾斜する傾斜面とを備え、隣接する端子台部の導入面間が一方の端子台部の傾斜面を介して連続し、かつ電線挿入口への電線の挿入方向における傾斜面の長さ寸法が、電線挿入口を通して挿入される電線において絶縁被覆を除去すべき寸法とされているものであり、隣接する端子台部に設けた導入面が一方の端子台部の傾斜面を介して連続するから、導入面の向きが略同じ向きになり、送り配線の際に電気的に接続される２組の電線を同方向から電線挿入口に導入することになる。しかも、導入面はハウジングの一面に対して傾斜し傾斜面は電線の挿入方向に沿って形成されているから、異なる端子台部の電線挿入口をハウジングの一面に沿ってずれた位置に設けることになり、ハウジングの一面に直交する方向に端子台部が積み重なることがなく、ハウジングが嵩高になるのを防止することができるという利点がある。また、電線挿入口への電線の挿入方向における傾斜面の長さ寸法が、電線挿入口を通して挿入される電線において絶縁被覆を除去すべき寸法とされているから、端子台部に形成されている段差を利用して電線の絶縁被覆を除去する長さ寸法を確認することになり、視認性が高くなって作業性が向上するという利点があり、その上、電線挿入口が形成されている導入面に隣接して形成されている傾斜面をストリップゲージとして用いるから、電線の導体の露出する長さ寸法を確認した後には、電線の位置をずらすだけで結線作業を行うことができ、結線作業が容易である。さらには、隣接する端子台部に設けた電線挿入口は電線の挿入方向において傾斜面の長さ分だけ離れており、傾斜面は電線の導体の露出部分の長さ寸法を有しているから、一つの端子台部に電線を接続するとその電線と組になる電線は他の端子台部には接続されにくく、異なる組の電線を誤結線する可能性が低減されることになる。
【図面の簡単な説明】
【図１】本発明の実施の形態を示す断面図である。
【図２】同上の分解斜視図である。
【図３】同上を示し、（ａ）は平面図、（ｂ）は正面図、（ｃ）は下面図、（ｄ）は左側面図、（ｅ）は右側面図である。
【図４】同上の要部斜視図である。
【図５】同上の要部斜視図である。
【図６】同上に用いる電圧用導体を示す側面図である。
【図７】同上の動作説明図である。
【図８】従来例を示す断面図である。
【符号の説明】
１  ハウジング
２  電源端子台
３  電源端子台
４  負荷端子台
２３  端子台部
２３ａ  傾斜面
２３ｂ  導入面
２４  電線挿入口
３５ｄ  鎖錠片
３５ｆ  案内片
３７  電線
３７ａ  絶縁被覆
【図１】
0003601345.tif 000002
【図２】
0003601345.tif 000003
【図３】
0003601345.tif 000004
【図４】
0003601345.tif 000005
【図５】
0003601345.tif 000006
【図６】
0003601345.tif 000007
【図７】
0003601345.tif 000008
【図８】
0003601345.tif 000009